(57)【特許請求の範囲】
【請求項１】
開閉可能な開閉扉と、
第一位置と第二位置とに移動させることが可能なプランジャを有するソレノイドと、
前記開閉扉の閉鎖状態に対応する第一状態と、前記開閉扉の開放状態に対応する第二状態と、に変化させることが可能なリンク機構と、
前記プランジャが前記第一位置に配置されることに対応して前記開閉扉の開放を阻止する状態を構成し、該プランジャが前記第二位置に配置されることに対応して前記開閉扉の開放を許容する状態を構成する阻止機構と、を備える入賞装置であって、
前記プランジャと前記リンク機構とを連結する連結機構を備え、
前記連結機構は、
前記プランジャに固定された連結軸と、前記リンク機構に設けられた係止部と、を有し、
前記プランジャが前記第一位置から前記第二位置に移動されることに対応して、前記係止部が前記連結軸に係止されて前記プランジャと前記リンク機構とが連結された連結状態を構成することにより前記リンク機構を前記第一状態から前記第二状態に変化させ、
前記プランジャの移動によらずに前記リンク機構が前記第一状態から前記第二状態に変化されることに対応して、前記連結軸に対する前記係止部の係止を解除して前記連結状態を解除することにより前記プランジャを前記第一位置に維持させることを特徴とする入賞装置。
【請求項２】
前記リンク機構は、
回転させることによって前記第一状態と前記第二状態とに変化させることが可能なカム部材を有し、
前記係止部は、
前記カム部材に設けられていることを特徴とする請求項１に記載の入賞装置。
【請求項３】
前記開閉扉は、
平板状の扉本体と、該扉本体の下端部に設けられ、該扉本体の下辺に対して平行に延びる回転軸と、を有し、
前記扉本体が前記回転軸と中心として正面側に向かって回転されることによって開放され、
前記阻止機構は、
前記プランジャに連結された阻止片と、前記回転軸を挟んで前記扉本体の逆側に設けられた阻止部と、を有し、
前記プランジャが前記第一位置に配置されることに対応して、前記阻止片が前記阻止部の背面側に配置されることによって、前記開閉扉の開放を阻止する状態を構成することを特徴とする請求項１又は２に記載の入賞装置。
【請求項４】
開閉可能な開閉扉と、
第一位置と第二位置とに移動させることが可能なプランジャを有するソレノイドと、
前記開閉扉の閉鎖状態に対応する第一状態と、前記開閉扉の開放状態に対応する第二状態と、に変化させることが可能なリンク機構と、
前記プランジャが前記第一位置に配置されることに対応して前記開閉扉の開放を阻止する状態を構成し、該プランジャが前記第二位置に配置されることに対応して前記開閉扉の開放を許容する状態を構成する阻止機構と、を備える入賞装置であって、
前記プランジャと前記リンク機構とを連結する連結機構を備え、
前記連結機構は、
前記プランジャが前記第一位置から前記第二位置に移動されることに対応して、前記リンク機構を前記第一状態から前記第二状態に変化させ、
前記プランジャの移動によらずに前記リンク機構が前記第一状態から前記第二状態に変化されることに対応して、前記プランジャを前記第一位置に維持させ、
前記開閉扉は、
平板状の扉本体と、該扉本体の下端部に設けられ、該扉本体の下辺に対して平行に延びる回転軸と、を有し、
前記扉本体が前記回転軸と中心として正面側に向かって回転されることによって開放され、
前記阻止機構は、
前記プランジャに連結された阻止片と、前記回転軸を挟んで前記扉本体の逆側に設けられた阻止部と、を有し、
前記プランジャが前記第一位置に配置されることに対応して、前記阻止片が前記阻止部の背面側に配置されることによって、前記開閉扉の開放を阻止する状態を構成することを特徴とする入賞装置。
【発明の詳細な説明】
【技術分野】
【０００１】
本発明は、遊技機に備えられる入賞装置に関する。
【背景技術】
【０００２】
従来、開閉可能な開閉扉と、プランジャを有するソレノイドと、プランジャの移動に応じて開閉扉を開閉させるリンク機構と、プランジャの移動に応じて開閉扉の開放を阻止する状態を構成する阻止機構と、を備える入賞装置が知られている（先行技術文献１参照）。
【先行技術文献】
【特許文献】
【０００３】
【特許文献１】特開２０００−２７９５８５号公報
【発明の概要】
【発明が解決しようとする課題】
【０００４】
しかしながら、上記特許文献１に係る入賞装置では、不正行為により、開閉扉を強制的に開放する力が加えられた際に、この力が、リンク機構を介して、プランジャに伝達される場合がある。
この場合、プランジャが強制的に移動されることによって、阻止機構による開閉扉の開放を阻止する状態が解除される。
本発明の課題は、入賞装置において、開閉扉を強制的に開放状態とする不正行為をより確実に防止することである。
【課題を解決するための手段】
【０００５】
上記目的を達成するために、第一の発明に係る入賞装置は、開閉可能な開閉扉と、第一位置と第二位置とに移動させることが可能なプランジャを有するソレノイドと、前記開閉扉の閉鎖状態に対応する第一状態と、前記開閉扉の開放状態に対応する第二状態と、に変化させることが可能なリンク機構と、前記プランジャが前記第一位置に配置されることに対応して前記開閉扉の開放を阻止する状態を構成し、該プランジャが前記第二位置に配置されることに対応して前記開閉扉の開放を許容する状態を構成する阻止機構と、を備える入賞装置であって、前記プランジャと前記リンク機構とを連結する連結機構を備え、前記連結機構は、前記プランジャに固定された連結軸と、前記リンク機構に設けられた係止部と、を有し、前記プランジャが前記第一位置から前記第二位置に移動されることに対応して、前記係止部が前記連結軸に係止されて前記プランジャと前記リンク機構とが連結された連結状態を構成することにより前記リンク機構を前記第一状態から前記第二状態に変化させ、前記プランジャの移動によらずに前記リンク機構が前記第一状態から前記第二状態に変化されることに対応して、前記連結軸に対する前記係止部の係止を解除して前記連結状態を解除することにより前記プランジャを前記第一位置に維持させることを特徴とする。
【０００６】
第一の発明に係る入賞装置では、連結機構が、プランジャの移動によらずにリンク機構が第一状態から第二状態に変化されることに対応して、プランジャを第一位置に維持させる。
これにより、開閉扉を強制的に開放する力が加えられても、プランジャが第一位置に維持されるため、阻止機構による開閉扉の開放を阻止する状態が解除されることはない。
したがって、第一の発明に係る入賞装置によれば、開閉扉を強制的に開放状態とする不正行為をより確実に防止することが可能となる。
【０００７】
ここで、開閉扉としては、例えば、後述する開閉扉１３０が該当する。プランジャとしては、例えば、後述するプランジャ１４１が該当する。ソレノイドとしては、例えば、後述するソレノイド１４０が該当する。リンク機構としては、例えば、後述するカム部材１５０が該当する。阻止機構としては、例えば、後述する阻止部材１６０及び阻止部１３４が該当する。連結機構としては、例えば、後述する連結部１４４及び係止部１５３が該当する。
【０００８】
また、第一の発明に係る入賞装置では、連結機構が、プランジャの移動によらずにリンク機構が第一状態から第二状態に変化されることに対応して、連結状態を解除する。
したがって、第二の発明に係る入賞装置によれば、開閉扉を強制的に開放状態とする不正行為をさらに確実に防止することが可能となる。
【０００９】
また、第一の発明に係る入賞装置によれば、簡易な構成によって、開閉扉を強制的に開放状態とする不正行為をより確実に防止することが可能となる。
ここで、連結軸としては、例えば、後述する連結軸１４４ｃが該当する。係止部としては、例えば、後述する係止部１５３が該当する。
【００１０】
また、第二の発明に係る入賞装置は、第一の発明に係る入賞装置において、前記リンク機構は、回転させることによって前記第一状態と前記第二状態とに変化させることが可能なカム部材を有し、前記係止部は、前記カム部材に設けられていることを特徴とする。
第二の発明に係る入賞装置によれば、さらに簡易な構成によって、開閉扉を強制的に開放状態とする不正行為をより確実に防止することが可能となる。
ここで、カム部材としては、例えば、後述するカム部材１５０が該当する。
【００１１】
また、第三の発明に係る入賞装置は、第一又は二の発明に係る入賞装置において、前記開閉扉は、平板状の扉本体と、該扉本体の下端部に設けられ、該扉本体の下辺に対して平行に延びる回転軸と、を有し、前記扉本体が前記回転軸と中心として正面側に向かって回転されることによって開放され、前記阻止機構は、前記プランジャに連結された阻止片と、前記回転軸を挟んで前記扉本体の逆側に設けられた阻止部と、を有し、前記プランジャが前記第一位置に配置されることに対応して、前記阻止片が前記阻止部の背面側に配置されることによって、前記開閉扉の開放を阻止する状態を構成することを特徴とする。
さらに、第四の発明に係る入賞装置は、開閉可能な開閉扉と、第一位置と第二位置とに移動させることが可能なプランジャを有するソレノイドと、前記開閉扉の閉鎖状態に対応する第一状態と、前記開閉扉の開放状態に対応する第二状態と、に変化させることが可能なリンク機構と、前記プランジャが前記第一位置に配置されることに対応して前記開閉扉の開放を阻止する状態を構成し、該プランジャが前記第二位置に配置されることに対応して前記開閉扉の開放を許容する状態を構成する阻止機構と、を備える入賞装置であって、前記プランジャと前記リンク機構とを連結する連結機構を備え、前記連結機構は、前記プランジャが前記第一位置から前記第二位置に移動されることに対応して、前記リンク機構を前記第一状態から前記第二状態に変化させ、前記プランジャの移動によらずに前記リンク機構が前記第一状態から前記第二状態に変化されることに対応して、前記プランジャを前記第一位置に維持させ、前記開閉扉は、平板状の扉本体と、該扉本体の下端部に設けられ、該扉本体の下辺に対して平行に延びる回転軸と、を有し、前記扉本体が前記回転軸と中心として正面側に向かって回転されることによって開放され、前記阻止機構は、前記プランジャに連結された阻止片と、前記回転軸を挟んで前記扉本体の逆側に設けられた阻止部と、を有し、前記プランジャが前記第一位置に配置されることに対応して、前記阻止片が前記阻止部の背面側に配置されることによって、前記開閉扉の開放を阻止する状態を構成することを特徴とする。
【００１２】
第三及び第四の発明に係る入賞装置によれば、開閉扉を強制的に開放状態とする不正行為をさらに確実に防止することが可能となる。
ここで、扉本体としては、例えば、後述する扉本体１３１が該当する。回転軸としては、例えば、後述する回転軸１３２ｂが該当する。阻止片としては、例えば、後述する阻止片１６５が該当する。阻止部としては、例えば、後述する阻止部１３４が該当する。
【発明の効果】
【００１３】
本発明によれば、開閉扉を強制的に開放状態とする不正行為をより確実に防止することが可能となる。
【図面の簡単な説明】
【００１４】
【図１】遊技盤面の正面部、特に説明に必要な部分を模式的に示した図である。
【図２】入賞装置の分解斜視図である。
【図３】開閉扉が閉鎖状態となっている入賞装置の正面側を示す斜視図である。
【図４】図３に示す入賞装置の背面側を示す斜視図である。
【図５】図３に示す入賞装置の平面図である。
【図６】図３に示す入賞装置の側面図である。
【図７】図３に示す入賞装置の背面図である。
【図８】開閉扉が開放状態となっている入賞装置の正面側を示す斜視図である。
【図９】図８に示す入賞装置の背面側を示す斜視図である。
【図１０】図８に示す入賞装置の平面図である。
【図１１】図８に示す入賞装置の側面図である。
【図１２】図８に示す入賞装置の背面図である。
【図１３】開閉扉が閉鎖状態となっている際のカム部材を示す側面図である。
【図１４】開閉扉の開放が開始された際のカム部材を示す側面図である。
【図１５】開閉扉が開放されている途中のカム部材を示す側面図である。
【図１６】開閉扉が開放状態となっている際のカム部材を示す側面図である。
【図１７】開閉扉が強制的に開放された際のカム部材を示す側面図である。
【図１８】開閉扉が強制的に開放された際の入賞装置を示す側面図である。
【発明を実施するための形態】
【００１５】
以下、本発明の実施形態を図面を参照しながら説明する。
本実施形態では、本発明に係る入賞装置１００を、パチンコ機１に適用した場合の一例について説明する。
（遊技盤面の構成）
まず、パチンコ機１における遊技盤面１０の構成を説明する。
図１は、遊技盤面の正面部、特に説明に必要な部分を模式的に示した図である。
図１に示すように、遊技盤面１０の中央部には、演出画像を表示することが可能な演出図柄表示装置１１が配設されている。演出図柄表示装置１１では、演出図柄の変動表示及び停止表示を行うことが可能となっている。そして、演出図柄表示装置１１では、停止表示された演出図柄の組み合わせによって、当たり抽選の結果を表示する。
【００１６】
演出図柄表示装置１１の左側には、普通図柄始動ゲート１２が設けられている。普通図柄始動ゲート１２は、遊技球Ｂ（図１８参照）の通過に応じて、普通図柄による抽選の契機を与える。
演出図柄表示装置１１の下方には、始動入賞装置１３が設けられている。始動入賞装置１３は、第一始動入賞口１３ａと、第一始動入賞口１３ａの下側に設けられた第二始動入賞口１３ｂとを有している。
【００１７】
第一始動入賞口１３ａは、常時、遊技球Ｂが入賞可能となるように上向きに開口した入賞口（いわゆるヘソ）である。第二始動入賞口１３ｂは、入賞確率を変更することが可能な電動役物（いわゆる電動チューリップ）である。第二始動入賞口１３ｂは、通常時は、閉止状態であるが、普通図柄による抽選に当選した場合に、所定パターンで開放状態となる。
始動入賞口１３ａ，１３ｂは、遊技球Ｂの入賞に応じて、当たり抽選の契機を与える。
始動入賞装置１３の下方には、入賞装置１００が設けられている。入賞装置１００は、通常時は閉止状態であるが、当たり抽選に当選した場合に、所定パターンで開放状態となる。そして、入賞装置１００に遊技球Ｂが入賞すると、入賞した遊技球数に応じた数の賞球が払い出される。
さらに、入賞装置１００の下方には、いずれの入賞口にも入賞しなかった遊技球Ｂを回収するためのアウト口１４が設けられている。
なお、遊技盤面１０においては、各入賞口に遊技球Ｂを導くように複数の釘（図示せず）が配置されている。
【００１８】
（入賞装置の構成）
次に、入賞装置１００の構成を説明する。
図２は、入賞装置の分解斜視図である。図３は、開閉扉が閉鎖状態となっている入賞装置の正面側を示す斜視図である。図４は、図３に示す入賞装置の背面側を示す斜視図である。図５は、図３に示す入賞装置の平面図である。図６は、図３に示す入賞装置の側面図である。図７は、図３に示す入賞装置の背面図である。図８は、開閉扉が開放状態となっている入賞装置の正面側を示す斜視図である。図９は、図８に示す入賞装置の背面側を示す斜視図である。図１０は、図８に示す入賞装置の平面図である。図１１は、図８に示す入賞装置の側面図である。図１２は、図８に示す入賞装置の背面図である。
【００１９】
図２から図１２に示すように、入賞装置１００は、基板１１０と、基板１１０に取り付けられる基部１２０及び開閉扉１３０と、基部１２０に取り付けられるソレノイド１４０、カム部材１５０及び阻止部材１６０と、を備えている。
図２、図３、図８等に示すように、基板１１０は、平板状に形成されている。基板１１０の略中央部には、開閉扉１３０が取り付けられる略四角形状の開口１１１が形成されている。基板１１０における開口１１１の左右方向（図５における左右方向）の両側方のそれぞれには、軸受部１１２が設けられている。軸受部１１２は、開口１１１の上下方向（図６における上下方向）の下端部に対応する位置に設けられている。
【００２０】
図３から図１２に示すように、基部１２０は、基板１１０の背面側に取り付けられる。基部１２０は、遊技球受入部１２１と、遊技球誘導路１２２と、を有している。
遊技球受入部１２１は、箱状に形成されている。遊技球受入部１２１の正面には、開口（図示せず）が形成されている。遊技球受入部１２１の開口は、基板１１０の開口１１１に対応する位置及び大きさに形成されている。そして、遊技球受入部１２１は、基板１１０の開口１１１を介して遊技球Ｂを受け入れることが可能となっている。
【００２１】
遊技球誘導路１２２は、遊技球受入部１２１に連通している。遊技球誘導路１２２には、通過する遊技球Ｂを検出して、賞球を払い出す契機を与える検出手段（図示せず）が配設されている。そして、遊技球誘導路１２２は、遊技球受入部１２１に受け入れられた遊技球Ｂを、遊技盤面１０の背面側に誘導する。
図２に示すように、基部１２０の側面には、軸受孔１２３が設けられている。そして、軸受孔１２３には、回転軸１２４が嵌合されている。回転軸１２４は、左右方向に沿って延びるように配設されている。回転軸１２４は、基部１２０の外側に向かって突出するように配設されている。また、基部１２０における遊技球受入部１２１の背面側には、ソレノイド１４０が取り付けられるソレノイド取付部１２５が設けられている。
【００２２】
図２に示すように、開閉扉１３０は、扉本体１３１と、回転軸部１３２と、扉操作部１３３と、阻止部１３４と、を有している。
扉本体１３１は、平板状に形成されている。扉本体１３１は、基板１１０の開口１１１に対応する大きさに形成されている。
回転軸部１３２は、扉本体１３１の下端部に設けられている。また、回転軸部１３２は、扉本体１３１の左右方向の両端部のそれぞれに設けられている。各回転軸部１３２は、軸受孔１３２ａと、軸受孔１３２ａに嵌合された回転軸１３２ｂと、を有している。各回転軸１３２ｂは、扉本体１３１の下辺に対して平行に、左右方向に沿って設けられている。なお、両回転軸部１３２の回転軸１３２ｂは、互いに同軸状に設けられている。
【００２３】
図２、図４等に示すように、扉操作部１３３は、扉本体１３１の左右方向の一方側の端部から背面側に向かって延びるように設けられている。扉操作部１３３は、扉本体１３１を開放するための第一開放片１３５ａ及び第二開放片１３５ｂを有している。第一開放片１３５ａ及び第二開放片１３５ｂは、それぞれ、背面側に向かって突出するように設けられている。
【００２４】
そして、開閉扉１３０は、各回転軸１３２ｂが各軸受部１１２に嵌合されることによって、基板１１０に対して回転させることが可能となるように取り付けられる。開閉扉１３０は、基板１１０に対して回転することによって、扉本体１３１が垂直面に沿うように立った閉鎖状態（図３参照）と、扉本体１３１が正面側に倒れた開放状態（図８、図１０及び図１１参照）と、に変化することが可能となっている。
【００２５】
図４及び図６に示すように、閉鎖状態の開閉扉１３０では、第二開放片１３５ｂが、回転軸１３２ｂの下方に位置している。一方、図９及び図１１に示すように、開放状態の開閉扉１３０では、第二開放片１３５ｂが、回転軸１３２ｂの上方に位置している。開閉扉１３０が閉鎖状態に配置されている際には、扉本体１３１によって、基板１１０の開口１１１が閉鎖される。開閉扉１３０が開放状態に配置されている際には、扉本体１３１の上方から基板１１０の開口１１１が開放される。これによって、開閉扉１３０が開放状態に配置されている際には、開口１１１から遊技球Ｂが入賞することが可能となる。
【００２６】
図２、図４、図６、図７等に示すように、阻止部１３４は、扉操作部１３３の下端部から下方に向かって延びるように設けられている。阻止部１３４は、回転軸部１３２を挟んで、扉本体１３１の逆側に設けられている。阻止部１３４は、平板状に形成された阻止板１３４ａを有している。阻止板１３４ａは、左右方向の外側に向かって延びるように設けられている。阻止版１３４ａは、扉本体１３１の左右方向の一方側の端部よりも外側の位置に設けられている。
図２に示すように、ソレノイド１４０は、プランジャ１４１と、プランジャ１４１が挿入されるコイル部１４２と、プランジャ１４１の周囲に配設されるスプリング１４３と、を有している。
【００２７】
図２、図５、図６、図１０、図１１等に示すように、プランジャ１４１には、フランジ部１４１ａが設けられている。プランジャ１４１の先端部には、連結部１４４が設けられている。連結部１４４は、一対の側板部１４４ａと、側板部１４４ａに固定された連結軸１４４ｃと、を有している。一対の側板部１４４ａは、フランジ部１４１ａが設けられている位置から正面側に向かって延びている。一対の側板部１４４ａは、所定の間隔で、互いに平行に配設されている。一対の側板部１４４ａのそれぞれには、軸受孔１４４ｂが設けられている。そして、連結軸１４４ｃは、両側板部１４４ａの軸受孔１４４ｂに挿通されている。これにより、連結軸１４４ｃは、左右方向に沿って延びるように配設されている。
【００２８】
ここで、連結部１４４における連結軸１４４ｃの背面側には、後述する係止片１５５を背面側に向かって逃がすことが可能となる空間Ｓが形成されている（図５、図１３から図１７参照）。
図２に示すように、コイル部１４２は、コイル１４２ａと、コイル１４２ａを保持するコイル枠１４２ｂと、を有している。
【００２９】
そして、プランジャ１４１は、コイル枠１４２ｂを介して、コイル１４２ａ内に挿入される。プランジャ１４１のフランジ部１４１ａとコイル枠１４２ｂの正面との間には、スプリング１４３が配設される。これにより、プランジャ１４１は、スプリング１４３によって、コイル部１４２に対して正面側に突出した第一位置（図３から図６参照）に配置されるように付勢されている。一方、プランジャ１４１は、コイル１４２ａが通電されることによって、コイル部１４２に対して背面側に引き込まれた第二位置（図８から図１１参照）に配置される。
【００３０】
そして、ソレノイド１４０は、取り付け部材１４６を介して、基部１２０に取り付けられる。
図２、図４、図６、図９、図１１等に示すように、カム部材１５０は、平板状に形成されている。カム部材１５０には、回転軸１２４が挿通される回転軸孔１５１が設けられている。カム部材１５０の回転軸孔１５１の正面側には、第一操作片１５２ａ及び第二操作片１５２ｂが設けられている。第一操作片１５２ａ及び第二操作片１５２ｂは、それぞれ、正面側に向かって突出するように設けられている。
【００３１】
カム部材１５０の上端部には、連結軸１４４ｃに係止するための係止部１５３が設けられている。係止部１５３は、カム部材１５０の上端部に設けられた切欠き部１５４と、切欠き部１５４の背面側に設けられた係止片１５５と、有している。
係止片１５５は、カム部材１５０の上端部から上方に向かって延びた後に、正面側に向かって屈曲するように形成されている。そして、係止片１５５の内面には、連結軸１４４ｃに係止する係止面１５５ａが形成されている。
切欠き部１５４は、連結軸１４４ｃを係止面１５５ａから正面側に向かって逃がすことが可能となるように設けられている。
【００３２】
そして、カム部材１５０は、回転軸孔１５１に回転軸１２４が挿通されることによって、基部１２０に対して回転させることが可能となるように配設される。また、カム部材１５０は、係止片１５５が連結軸１４４ｃの背面側に係止されることによって、プランジャ１４１と連結される。これにより、カム部材１５０は、基部１２０に対して回転することによって、第一操作片１５２ａ及び第二操作片１５２ｂが下方に位置する第一状態（図３から図７参照）と、第一操作片１５２ａ及び第二操作片１５２ｂが上方に位置する第二状態（図８から図１２参照）と、に変化することが可能となっている。
【００３３】
ここで、カム部材１５０の下端部には、スプリング１５７が配設されている。スプリング１５７は、一端部がカム部材１５０の下端部に取り付けられ、他端部が取り付け部材１４６に取り付けられている。スプリング１５７は、カム部材１５０の下端部を、背面側に向かって付勢する。すなわち、カム部材１５０は、スプリング１５７によって、第一状態となるように付勢されている。
【００３４】
図４等に示すように、カム部材１５０の第一操作片１５２ａは、開閉扉１３０の第一開放片１３５ａと第二開放片１３５ｂとの間に配設される。また、図９等に示すように、カム部材１５０の第二操作片１５２ｂは、開閉扉１３０の第二開放片１３５ｂの下方に配設される。
図２、図４、図６、図９、図１１等に示すように、阻止部材１６０は、平板状に形成されている。阻止部材１６０は、第一腕部１６１と第二腕部１６２とから、略Ｌ形状に形成されている。
第一腕部１６１と第二腕部１６２の接合部には、回転軸１２４が挿通される回転軸孔１６３が設けられている。第一腕部１６１の先端部には、連結軸１４４ｃが挿通される操作軸孔１６４が設けられている。第二腕部１６２の先端部には、下方に向かって突出する阻止片１６５が設けられている。
【００３５】
そして、阻止部材１６０は、回転軸孔１６３に回転軸１２４が挿通されることによって、基部１２０に対して回転させることが可能となるように配設される。阻止部材１６０は、カム部材１５０の左右方向の外側に配設される。特に、阻止部材１６０は、扉本体１３１の左右方向の一方側の端部よりも外側の位置に設けられている。
また、阻止部材１６０は、操作軸孔１６４に連結軸１４４ｃが挿通されることによって、プランジャ１４１と連結される。これにより、阻止部材１６０は、基部１２０に対して回転することによって、阻止片１６５を上下方向に移動させることが可能となっている。
【００３６】
（入賞装置の動作）
次に、入賞装置１００の動作を説明する。
図１３は、開閉扉が閉鎖状態となっている際のカム部材を示す側面図である。図１４は、開閉扉の開放が開始された際のカム部材を示す側面図である。図１５は、開閉扉が開放されている途中のカム部材を示す側面図である。図１６は、開閉扉が開放状態となっている際のカム部材を示す側面図である。図１７は、開閉扉が強制的に開放された際のカム部材を示す側面図である。図１８は、開閉扉が強制的に開放された際の入賞装置を示す側面図である。
【００３７】
まず、ソレノイド１４０のコイル１４２ａへの通電が行われていない状態（以下、非通電状態）の入賞装置１００の動作について説明する。
図３から図７及び図１３に示すように、非通電状態の入賞装置１００では、スプリング１４３の付勢によって、プランジャ１４１が、第一位置に配置される。第一位置は、プランジャ１４１がコイル部１４２に対して正面側に突出する位置である。
【００３８】
また、非通電状態の入賞装置１００では、スプリング１５７の付勢によって、カム部材１５０が、第一状態に配置される。第一状態は、第一操作片１５２ａ及び第二操作片１５２ｂが下方に位置する状態である。
また、非通電状態の入賞装置１００では、カム部材１５０が第一状態に配置されることによって、開閉扉１３０が、閉鎖状態に配置される。閉鎖状態は、扉本体１３１が基板１１０の開口１１１を閉鎖する状態である。
【００３９】
さらに、非通電状態の入賞装置１００では、プランジャ１４１が第一位置に配置されることによって、阻止部材１６０が、阻止位置（図６、図７及び図１３参照）に配置される。ここで、阻止位置とは、閉鎖状態に配置された開閉扉１３０の阻止板１３４ａの背面側の位置である。これによって、阻止片１６５が、開閉扉１３０の閉鎖状態から開放状態に向かう回転を阻止する。したがって、開閉扉１３０が強制的に開放状態とされる不正行為を防止することが可能となる。
【００４０】
次に、非通電状態の入賞装置１００について、ソレノイド１４０のコイル１４２ａへの通電を行うと、図１４及び図１５に示すように、プランジャ１４１が、第一位置から第二位置に向かって移動される。第二位置は、プランジャ１４１がコイル部１４２に対して背面側に引き込まれた位置である。
プランジャ１４１が第一位置から第二位置に向かって移動されると、プランジャ１４１の連結軸１４４ｃが、阻止部材１６０の第一腕部１６１を背面側に向かって引っ張る。これによって、阻止部材１６０が回転されて、阻止片１６５が、阻止位置から上方に向かって移動される。これによって、阻止片１６５により開閉扉１３０の閉鎖状態から開放状態に向かう回転が阻止されている状態が解除され、開閉扉１３０の閉鎖状態から開放状態に向かう回転が許容される。
【００４１】
また、プランジャ１４１が第一位置から第二位置に向かって移動されると、プランジャ１４１の連結軸１４４ｃが、カム部材１５０の係止片１５５の係止面１５５ａに接触した状態を構成する。これにより、プランジャ１４１とカム部材１５０とが連結された状態が構成される。そして、プランジャ１４１の連結軸１４４ｃが、カム部材１５０の係止片１５５（係止面１５５ａ）を背面側に向かって引っ張る。これによって、カム部材１５０が、第一状態から第二状態に向かって回転（変化）される。第二状態は、第一操作片１５２ａ及び第二操作片１５２ｂが上方に位置する状態である。
【００４２】
カム部材１５０が第一状態から第二状態に向かって回転されると、カム部材１５０の第一操作片１５２ａが、開閉扉１３０の第一開放片１３５ａを上方に向かって押し上げるとともに、カム部材１５０の第二操作片１５２ｂが、開閉扉１３０の第二開放片１３５ｂを上方に向かって押し上げる。これによって、開閉扉１３０が、閉鎖状態から開放状態に向かって回転（変化）される。
【００４３】
そして、図８から図１２及び図１６に示すように、プランジャ１４１が第二位置に配置された入賞装置１００では、カム部材１５０が第二状態に配置されるとともに、開閉扉１３０が開放状態に配置される。
次に、プランジャ１４１が第二位置に配置された入賞装置１００について、ソレノイド１４０のコイル１４２ａへの通電を停止すると、スプリング１４３の付勢によって、プランジャ１４１が、第二位置から第一位置に向かって移動される。
【００４４】
また、プランジャ１４１が第二位置から第一位置に向かって移動されることに伴い、スプリング１５７の付勢によって、カム部材１５０が、第二状態から第一状態に向かって回転される。
カム部材１５０が第二状態から第一状態に向かって回転されると、カム部材１５０の第一操作片１５２ａが、開閉扉１３０の第二開放片１３５ｂを下方に向かって押し下げる。これによって、開閉扉１３０が、開放状態から閉鎖状態に向かって回転される。
【００４５】
さらに、プランジャ１４１が第二位置から第一位置に向かって移動されると、プランジャ１４１の連結軸１４４ｃが、阻止部材１６０の第一腕部１６１を正面側に向かって押し込む。これによって、阻止部材１６０が回転されて、阻止片１６５が、阻止位置に向かって移動される。
そして、プランジャ１４１が第一位置に配置されることに伴い、カム部材１５０が第一状態に配置されるとともに、開閉扉１３０が閉鎖状態に配置される。また、プランジャ１４１が第一位置に配置されることによって、阻止部材１６０が、阻止位置に配置される。これによって、上述した非通電状態の入賞装置１００となる。
【００４６】
次に、閉鎖状態に配置された開閉扉１３０に対して強制的に開放状態に向かって回転される力が加えられたた場合の入賞装置１００の動作について説明する。
この場合、図１７及び図１８に示すように、開閉扉１３０が閉鎖状態から開閉状態に向かって回転されることによって、開閉扉１３０の第二開放片１３５ｂが、カム部材１５０の第一操作片１５２ａを上方に向かって押し上げる。これによって、カム部材１５０が、第一状態から第二状態に向かって回転される。
【００４７】
ここで、カム部材１５０の係止片１５５は、プランジャ１４１の連結軸１４４ｃの背面側に係止されている。
これによって、プランジャ１４１の移動によらずにカム部材１５０が第一状態から第二状態に向かって回転されると、プランジャ１４１の連結軸１４４ｃへの係止片１５５（係止面１５５ａ）の係止が解除される。すなわち、プランジャ１４１とカム部材１５０とが連結された状態が解除される。
【００４８】
具体的には、プランジャ１４１の連結部１４４における連結軸１４４ｃの背面側には、係止片１５５を背面側に向かって逃がすことが可能となる空間Ｓが形成されている。また、カム部材１５０の切欠き部１５４は、連結軸１４４ｃを係止面１５５ａから正面側に向かって逃がすことが可能となるように設けられている。
これによって、プランジャ１４１の移動によらずにカム部材１５０が第一状態から第二状態に向かって回転されると、カム部材１５０の係止片１５５が、プランジャ１４１の連結軸１４４ｃに係止されている位置から、空間Ｓに向かって移動する。この際、カム部材１５０対する連結軸１４４ｃの位置は、係止片１５５（係止面１５５ａ）に係止されている位置から、切欠き部１５４内の正面側に向かって変位する。
【００４９】
したがって、カム部材１５０が第一状態から第二状態に向かって回転される動作が、プランジャ１４１に対して伝達されない。これにより、プランジャ１４１が第一位置に維持されるため、阻止部材１６０による開閉扉１３０の回転を阻止する状態が解除されることはない。
よって、図１８に示すように、開閉扉１３０の開放が阻止部材１６０によって阻止され、遊技球Ｂが入賞装置１００に入賞することはない。
以上ように、入賞装置１００によれば、開閉扉１３０を強制的に開放状態とする不正行為をより確実に防止することが可能となる。
【００５０】
また、入賞装置１００では、カム部材１５０及び阻止部材１６０が、互いに同一の回転軸１２４によって回転される。また、入賞装置１００では、カム部材１５０及び阻止部材１６０が、ともに連結軸１４４ｃに連結されている。
これによって、入賞装置１００によれば、簡易な構成で、開閉扉１３０の開閉及び開閉扉１３０が強制的に開放状態とされることの阻止を行うことが可能となる。
以上、本発明の実施形態について説明したが、上記実施形態では、種々の変更を行うことが可能である。
【００５１】
例えば、上記実施形態では、入賞装置１００を、当たり抽選に当選した場合に所定パターンで開放状態となる、いわゆる大入賞口に適用している。しかしながら、入賞装置１００は、遊技球を入賞させる入賞口であれば、他の入賞口に適用しても構わない。
なお、本実施形態では、入賞装置１００を、パチンコ機１に適用した場合について説明した。しかしながら、本発明はこれに限らず、本発明の主旨を逸脱しない範囲で他のアミューズメントゲーム機等の遊技機にも適用可能である。
【符号の説明】
【００５２】
１  パチンコ機
１００  入賞装置
１１０  基板
１１１  開口
１１２  軸受部
１２０  基部
１２１  遊技球受入部
１２２  遊技球誘導路
１２３  軸受孔
１２４  回転軸
１２５  ソレノイド取付部
１３０  開閉扉
１３１  扉本体
１３２  回転軸部
１３３  扉操作部
１３４  阻止部
１３２ａ  軸受孔
１３２ｂ  回転軸
１３５ａ  第一開放片
１３５ｂ  第二開放片
１４０  ソレノイド
１４１  プランジャ
１４２  コイル部
１４３  スプリング
１４１ａ  フランジ部
１４４  連結部
１４４ａ  側板部
１４４ｃ  連結軸
１４４ｂ  軸受孔
１４２ａ  コイル
１４２ｂ  コイル枠
１５０  カム部材
１５１  回転軸孔
１５２ａ  第一操作片
１５２ｂ  第二操作片
１５３  係止部
１５４  切欠き部
１５５  係止片
１５５ａ  係止面
１５７  スプリング
１６０  阻止部材
１６１  第一腕部
１６２  第二腕部
１６３  回転軸孔
１６４  操作軸孔
１６５  阻止片
Ｓ  空間
【図１】
0005676164.tif 000002
【図２】
0005676164.tif 000003
【図３】
0005676164.tif 000004
【図４】
0005676164.tif 000005
【図５】
0005676164.tif 000006
【図６】
0005676164.tif 000007
【図７】
0005676164.tif 000008
【図８】
0005676164.tif 000009
【図９】
0005676164.tif 000010
【図１０】
0005676164.tif 000011
【図１１】
0005676164.tif 000012
【図１２】
0005676164.tif 000013
【図１３】
0005676164.tif 000014
【図１４】
0005676164.tif 000015
【図１５】
0005676164.tif 000016
【図１６】
0005676164.tif 000017
【図１７】
0005676164.tif 000018
【図１８】
0005676164.tif 000019